(57)【要約】【課題】２つの印面を有して、その印面を用途ごとに使い分けできる、すなわち、１本で２用途に使用できる印鑑を提供する。【解決手段】印鑑本体の長手方向両端部に互いに異なる印字サイズの印面が形成されたことを特徴とする。また、印面の印字を彫刻によって形成することができる。また、印鑑本体の上記一方の端部を他方に比べ細く形成することができる。また、印鑑本体の上記一方の端部に、他方の印面と印字サイズが異なる印面が形成された印字体を嵌め込み可能に形成することができる。また、印字サイズの大きい方の印面に完全に付着可能なサイズの朱肉を内部にセットしたキャップを印鑑本体の左右両端にそれぞれ着脱自在に形成することができる。【選択図】        図１
2004188688.tif 000002
【特許請求の範囲】
【請求項１】
印鑑本体の長手方向両端部に互いに異なる印字サイズの印面が形成されたことを特徴とする印鑑。
【請求項２】
印面の印字が彫刻によって形成された請求項１記載の印鑑。
【請求項３】
印鑑本体の上記一方の端部は他方に比べ細く形成された請求項１又は２記載の印鑑。
【請求項４】
印鑑本体の上記一方の端部に、他方の印面と印字サイズが異なる印面が形成された印字体が嵌め込み可能に形成された請求項１、２又は３記載の印鑑。
【請求項５】
印字サイズの大きい方の印面に完全に付着可能なサイズの朱肉を内部にセットしたキャップが印鑑本体の左右両端にそれぞれ着脱自在に形成された請求項１、２、３又は４記載の印鑑。
【発明の詳細な説明】
【０００１】
【発明が属する技術分野】
本発明は印鑑に関する。
【０００２】
【従来の技術】
印鑑には、認印、銀行印、実印、会社印など、用途ごとに様々な種類があり、これらは、一般的に印面の印字サイズが異なっている。
【０００３】
印面の印字を彫刻により形成する印鑑は、ほとんど印鑑本体の長手方向の径が一定なので、その印鑑本体の左右両端面に印字を彫刻すると、印面の印字サイズが同一になってしまい、用途で使い分けることができない。したがって、従来、印鑑本体の左右両端面に印字を彫刻する彫刻印では、印鑑本体の左右両端に印面を有するものは存在しなかった。
【０００４】
そして、異なる２用途に使用する場合は、印面の印字サイズが異なる２本の印鑑を具えなければならず、面倒であった。
【０００５】
なお、上記の従来例は文献公知発明に係るものではなく、出願人が出願時に知り得た先行技術文献情報は存在しない。
【０００６】
【発明が解決しようとする課題】
本発明は、２つの印面を有して、その印面を用途ごとに使い分けできる、すなわち、１本で２用途に使用できる印鑑の提供を課題とする。
【０００７】
【課題を解決するための手段】
上記課題を解決するために、本発明の印鑑は、印鑑本体の長手方向両端部に互いに異なる印字サイズの印面が形成されたことを特徴とするものである。
【０００８】
また、本発明の印鑑は、印面の印字が彫刻によって形成された構成にすることができる。
【０００９】
また、本発明の印鑑は、印鑑本体の上記一方の端部は他方に比べ細く形成された構成にすることができる。
【００１０】
また、本発明の印鑑は、印鑑本体の上記一方の端部に、他方の印面と印字サイズが異なる印面が形成された印字体が嵌め込み可能に形成された構成にすることができる。
【００１１】
また、本発明の印鑑は、印字サイズの大きい方の印面に完全に付着可能なサイズの朱肉を内部にセットしたキャップが印鑑本体の左右両端にそれぞれ着脱自在に形成された構成にすることができる。
【００１２】
【発明の実施の形態】
以下、図を用いて本発明の実施の形態について説明する。まず、図１に示すように、丸棒状の印鑑本体１の左右両側に互いに異なる印字サイズの印面２，３が形成されている。
【００１３】
印鑑本体１は、図に示すように、左右両端の太さを異ならせることができる。すなわち、印鑑本体１の一端の外周部を削る等の加工をして、その一端を他端より細い小径部３となして、その印鑑本体１の左右両端面をそれぞれ印面２，４となすことができる。そして、それら面積の異なる印面２，４に、それぞれサイズが互いに異なる印字を設けることができる。なお、印鑑本体１の素材は自由である。
【００１４】
それら印面２，４の印字は彫刻により形成することができる。
【００１５】
また、図２に示すように、長手方向の径が一定の印鑑本体５の一方の端面に印面６を形成するとともに、他方の端面には凹部７を設け、又、この印鑑本体５とは別個に、一端に上記の凹部７に嵌合可能な凸部９を有し、かつ、他方の端面には上記の印面６とは印字サイズの異なる印面１０を形成した印字体８を具えて、その印字体８の凸部９を凹部７に嵌め込んで、印字体８を印鑑本体５に対し固定する構造にすることもできる。
【００１６】
なお、印字体はインサート成形などにより印鑑本体に対し取り外し不能に完全固着しても良いし、取り外し可能な着脱式にすることも可能である。
【００１７】
上記のように印字体を嵌め込み式とする場合は、凹部７に嵌合する凸部１２の寸法が上記の凸部９と共通で、印面１３の印字サイズが異なる別の印字体１１を具えることができる。すなわち、印字体は複数具えることができる。そして、それらを交換して印鑑本体５に組み付けることにより使い分けることができる。この場合の印字体は完全固着式ではなく、着脱式となる。
【００１８】
また、上記のように印字体を嵌め込み式とする場合、図は省略するが、印字体の側に凹部を設けて、印鑑本体の一端をその凹部に嵌め込み可能とした構造にすることも可能である。
【００１９】
また、図３に示すように、本発明の印鑑には、印鑑本体１４の左右両端にそれぞれ着脱自在なキャップ１５を付属品として具えることができる。そして、このキャップ１５の内部に朱肉１７をセットして、キャップ１５を印鑑本体１４に被せたときに、朱肉１７を印面１６，１８に付着可能とすることができる。この場合、朱肉１７のサイズは、サイズの大きい方の印面１６に付着可能なサイズとする。このようにすれば、キャップ１５を印鑑本体１４の反対側の端部に被せたときに、サイズの小さい方の印面１８にも朱肉１７を付着させることができる。
【００２０】
【発明の効果】
請求項１記載の本発明の印鑑は、印鑑本体の左右両端に互いに印字サイズの異なる印面が形成されるので、それらを用途ごとに使い分けることができる。したがって、用途ごとに印面の印字サイズが異なる２本の印鑑を具える面倒がないとともに、使用する際の印字サイズに合わせて迅速に押印することができる。
また、請求項２記載の本発明の印鑑は、印面の印字が彫刻によって形成された彫刻印でも２用途に使用できることになって利便性が高い。
また、請求項３記載の本発明の印鑑は、印鑑本体の長手方向両端部に互いに異なる印字サイズの印面を容易に形成することができる。
また、請求項４記載の本発明の印鑑は、印字体を用いて嵌め込み式とすることにより、印鑑本体を削る等の加工上の面倒がなく、印鑑の製作を容易に行なうことができる。また、印面の印字サイズが異なる複数の印字体を具えることにより交換可能とすれば、多用途に使用可能となる。
また、請求項５記載の本発明の印鑑は、押印する際に朱肉を備える必要がなく、又、キャップも２つ備える必要がない。
【図面の簡単な説明】
【図１】第１実施例の側面図である。
【図２】第２実施例の一部切断側面図である。
【図３】第３実施例の断面図である。
【符号の説明】
１  印鑑本体
２  印面
３  小径部
４  印面
５  印鑑本体
６  印面
７  凹部
８  印字体
９  凸部
１０  印面
１１  印字体
１２  凸部
１３  印面
１４  印鑑本体
１５  キャップ
１６  印面
１７  朱肉
１８  印面
【図１】
2004188688.tif 000003
【図２】
2004188688.tif 000004
【図３】
2004188688.tif 000005